(57)【要約】      （修正有）【課題】イベントが開催される本会場の外における発光演出具であっても、本会場内における発光演出具の発光態様に同期させることを可能にした発光演出具を提供する。【解決手段】集中発光制御装置３０からの発光制御信号ＨＣＳを受信して発光体の発光態様を制御する発光制御回路、モーションセンサによる動作検出信号ＭＤＳを集中発光制御装置３０に送信する発光うちわ１０と、発光うちわ１０を特定の発光態様にする発光制御信号ＨＣＳを生成する発光制御信号生成部、モーションセンサから動作検出信号ＭＤＳを受信する集中発光制御装置３０を備える発光演出システム１００であって、発光制御信号生成部が動作検出信号ＭＤＳに基づき追加発光制御信号ＡＣＳを生成すると共に発光うちわ１０に送信し、発光制御回路が追加発光制御信号ＡＣＳに基づいて発光体の発光態様を制御する。【選択図】図１
2020039788.tif 000002
【特許請求の範囲】
【請求項１】
複数の発光演出具と、インターネット通信を介して前記発光演出具と相互接続可能な集中発光制御装置と、を用いた発光演出システムであって、
前記発光演出具は、
電源と、発光体と、前記インターネット通信を介して前記集中発光制御装置から発せられた発光制御信号を受信する第１受信装置と、該第１受信装置が受信した前記発光制御信号に基づいて前記発光体の発光態様を制御する発光制御回路と、モーションセンサと、該モーションセンサによる動作検出信号を前記集中発光制御装置に前記インターネット通信を介して送信する第１送信装置と、を具備し、
前記集中発光制御装置は、
前記発光演出具における前記発光体の発光態様を特定の発光態様にするための前記発光制御信号を生成する発光制御信号生成部と、前記インターネット通信を介して前記発光制御信号を外部に送信する第２送信装置と、前記発光演出具の前記第１送信装置から前記インターネット通信を介して送信された前記動作検出信号を受信する第２受信装置と、を具備し、
前記発光演出具から前記動作検出信号が前記集中発光制御装置に送信されると、
前記発光制御信号生成部が前記動作検出信号に基づいて追加発光制御信号を生成する動作と、
前記第２送信装置が前記追加発光制御信号を前記動作検出信号の送信元である前記発光演出具に送信する動作と、
前記発光制御回路が前記追加発光制御信号に基づく前記発光体の発光態様を、前記発光制御信号に基づく前記発光体の発光態様に優先させる動作と、をそれぞれ実行することを特徴とする発光演出システム。
【請求項２】
前記動作検出信号には前記モーションセンサの動作検出時における時間情報が紐付けられていて、
前記発光制御信号生成部は、前記追加発光制御信号に前記時間情報を紐付けし、
前記発光制御回路は、前記追加発光制御信号に紐付けられている前記時間情報の順番に沿って前記発光体の発光態様を制御することを特徴とする請求項１記載の発光演出システム。
【請求項３】
前記発光制御信号生成部は、前記追加発光制御信号に制御継続時間を指定する制御継続時間情報を紐付けし、
前記発光制御回路は、前記追加発光制御信号に基づく前記発光体の発光態様の制御を前記制御継続時間にわたって行うと共に、前記制御継続時間が経過した後は、前記発光制御信号に基づく前記発光体の発光態様に戻すことを特徴とする請求項１または２記載の発光演出システム。
【請求項４】
前記発光制御信号は、
前記集中発光制御装置による前記発光演出具の発光態様の制御が行われる前における前記発光演出具の発光態様を制御する基本発光制御信号と、前記集中発光制御装置が指定した一部の前記発光演出具の発光態様を直接制御する際における指定発光制御信号と、を有していることを特徴とする請求項１〜３のうちのいずれか一項に記載の発光演出システム。
【請求項５】
前記集中発光制御装置の記憶部には、前記動作検出信号から前記発光演出具の動作モードの切り替えの要否を判断する動作モード切替判別データが予め記憶されていて、
前記集中発光制御装置の動作制御部が、前記発光演出具から送信された前記動作検出信号が前記動作モード切替判別データに指定されている条件を満たしていると判断した場合、前記動作制御部は、予め前記記憶部に記憶されている動作モード切替時間にわたって前記発光演出具から送信された前記動作検出信号の各々について前記動作検出信号が送信された前記発光演出具の数の累計値および前記動作検出信号の信号強度の累計値を算出する投票動作モードを実行し、
前記動作モード切替時間が経過した後、前記動作制御部は、前記発光制御信号生成部に前記発光演出具の累計値と前記信号強度の累計値に基づいた投票結果発光制御信号を生成させると共に、前記第２送信装置に前記投票結果発光制御信号を前記発光演出具に送信させ、
前記発光演出具の前記発光制御回路は、前記投票結果発光制御信号に基づいた前記発光体の発光態様の制御を予め設定された投票結果出力時間にわたって実行することを特徴とする請求項１〜４のうちのいずれか一項に記載の発光演出システム。
【請求項６】
前記投票動作モードにおける前記動作検出信号には、前記発光演出具の位置情報が紐付けられていて、
前記動作制御部は、前記動作検出信号の検出動作毎の前記信号強度と動作検出継続時間の累計値について前記位置情報に基づいた集計結果を算出すると共に、出力部に前記集計結果を所定の出力時間にわたって出力させることを特徴とする請求項５記載の発光演出システム。
【発明の詳細な説明】
【技術分野】
【０００１】
本発明は発光演出具を用いた発光演出システムに関し、より詳細には、インターネット通信により遠隔地であっても演出動作を同期させることが可能な発光演出システムに関する。
【背景技術】
【０００２】
コンサート会場等において会場の一層の盛り上がりを演出するためのツールとしてペンライト等の発光演出具が知られている。このような発光演出具を用いて会場の演出効果を高めるためには、単純な発光のみの演出では会場の盛り上がり演出に限界があり、多様な発光態様を提供することができるものが知られている。
【０００３】
このような発光演出具を用いた発光演出システムに関しては、出願人によって特許文献１（特開２０１５−２９５８号公報）に開示されているような、発光演出具の発光体の発光態様を制御する際に集中発光制御装置から発光演出具に送信される発光制御信号を、音波に基づく搬送波を用いて送信する構成が提案されている。このような発光演出システムの構成を採用することにより、イベント開催者側が会場内の来訪者が保持している発光演出具のすべてを任意の発光態様に制御することが可能になる。
【先行技術文献】
【特許文献】
【０００４】
【特許文献１】特開２０１５−２９５８号公報（請求項１他）
【発明の概要】
【発明が解決しようとする課題】
【０００５】
近年、スポーツ大会等のイベントにおいて、イベントが開催される本会場に入れなかった観客がパブリックビューイング会場に集まり、本会場内にいる観客と共に盛り上がろうとする試みが多数行われている。このため、イベントが開催される本会場内であれば、来訪者が保持する発光演出具の発光態様についてはイベント開催者側で一括制御させることができるが、パブリックビューイング会場のような本会場の外においては本会場内における発光演出具の発光態様のように一括制御することができないといった課題がある。
【課題を解決するための手段】
【０００６】
そこで本発明は、本会場の外における発光演出具であっても、本会場内における発光演出具の発光態様に同期させることを可能にした発光演出具を用いた発光演出システムの提供を目的としている。
【０００７】
上記課題を解決するため発明者が鋭意研究した結果、以下の構成に想到した。すなわち本発明は、複数の発光演出具と、インターネット通信を介して前記発光演出具と相互接続可能な集中発光制御装置と、を用いた発光演出システムであって、前記発光演出具は、電源と、発光体と、前記インターネット通信を介して前記集中発光制御装置から発せられた発光制御信号を受信する第１受信装置と、該第１受信装置が受信した前記発光制御信号に基づいて前記発光体の発光態様を制御する発光制御回路と、モーションセンサと、該モーションセンサによる動作検出信号を前記集中発光制御装置に前記インターネット通信を介して送信する第１送信装置と、を具備し、前記集中発光制御装置は、前記発光演出具における前記発光体の発光態様を特定の発光態様にするための前記発光制御信号を生成する発光制御信号生成部と、前記インターネット通信を介して前記発光制御信号を外部に送信する第２送信装置と、前記発光演出具の前記第１送信装置から前記インターネット通信を介して送信された前記動作検出信号を受信する第２受信装置と、を具備し、前記発光演出具から前記動作検出信号が前記集中発光制御装置に送信されると、前記発光制御信号生成部が前記動作検出信号に基づいて追加発光制御信号を生成する動作と、前記第２送信装置が前記追加発光制御信号を前記動作検出信号の送信元である前記発光演出具に送信する動作と、前記発光制御回路が前記追加発光制御信号に基づく前記発光体の発光態様を、前記発光制御信号に基づく前記発光体の発光態様に優先させる動作と、をそれぞれ実行することを特徴とする発光演出システムである。
【０００８】
これにより、本会場の外における発光演出具であっても、本会場内における発光演出具の発光態様に同期させることが可能になる。また、それぞれの発光演出具における動作に合わせて発光体の発光態様を変更することができるため、発光演出システムの演出効果を高めることができる。
【０００９】
また、前記動作検出信号には前記モーションセンサの動作検出時における時間情報が紐付けられていて、前記発光制御信号生成部は、前記追加発光制御信号に前記時間情報を紐付けし、前記発光制御回路は、前記追加発光制御信号に紐付けられている前記時間情報の順番に沿って前記発光体の発光態様を制御することが好ましい。
【００１０】
これにより、来訪者が保持する発光演出具の動作に合わせた発光演出具の発光態様を経時的に変化させることができるため、さらに発光演出システムの演出効果を向上させることができる。
【００１１】
また、前記発光制御信号生成部は、前記追加発光制御信号に制御継続時間を指定する制御継続時間情報を紐付けし、前記発光制御回路は、前記追加発光制御信号に基づく前記発光体の発光態様の制御を前記制御継続時間にわたって行うと共に、前記制御継続時間が経過した後は、前記発光制御信号に基づく前記発光体の発光態様に戻すことが好ましい。
【００１２】
これらにより、発光演出システムにおける発光演出具の基本発光態様を維持することができ、イベントに応じた基本発光態様と追加的な発光態様との切り替えが可能になるため、発光演出システムの演出効果を向上させることができる。
【００１３】
また、前記発光制御信号は、前記集中発光制御装置による前記発光演出具の発光態様の制御が行われる前における前記発光演出具の発光態様を制御する基本発光制御信号と、前記集中発光制御装置が指定した一部の前記発光演出具の発光態様を直接制御する際における指定発光制御信号と、を有していることが好ましい。
【００１４】
これにより、来訪者が保持する発光演出具をイベント開催者側により任意の発光態様に設定することができ、イベント開催者側が意図する発光演出を実現することができる。
【００１５】
また、前記集中発光制御装置の記憶部には、前記動作検出信号から前記発光演出具の動作モードの切り替えの要否を判断する動作モード切替判別データが予め記憶されていて、前記集中発光制御装置の動作制御部が、前記発光演出具から送信された前記動作検出信号が前記動作モード切替判別データに指定されている条件を満たしていると判断した場合、前記動作制御部は、予め前記記憶部に記憶されている動作モード切替時間にわたって前記発光演出具から送信された前記動作検出信号の各々について前記動作検出信号が送信された前記発光演出具の数の累計値および前記動作検出信号の信号強度の累計値を算出する投票動作モードを実行し、前記動作モード切替時間が経過した後、前記動作制御部は、前記発光制御信号生成部に前記発光演出具の累計値と前記信号強度の累計値に基づいた投票結果発光制御信号を生成させると共に、前記第２送信装置に前記投票結果発光制御信号を前記発光演出具に送信させ、前記発光演出具の前記発光制御回路は、前記投票結果発光制御信号に基づいた前記発光体の発光態様の制御を予め設定された投票結果出力時間にわたって実行することが好ましい。
【００１６】
また、前記投票動作モードにおける前記動作検出信号には、前記発光演出具の位置情報が紐付けられていて、前記動作制御部は、前記動作検出信号の検出動作毎の信号強度と動作検出継続時間の累計値について前記位置情報に基づいた集計結果を算出すると共に、出力部に前記集計結果を所定の出力時間にわたって出力させることがより好ましい。
【００１７】
これらにより、イベント中にイベント参加者による投票ゲームを行うことができ、会場の盛り上がりをさらに向上させることができる。
【発明の効果】
【００１８】
本発明にかかる発光演出システムの構成を採用することにより、本会場の外における発光演出具であっても、本会場内における発光演出具の発光態様に同期させることが可能になる。また、それぞれの発光演出具における動作に合わせて発光体の発光態様を変更することができるため、発光演出システムによる本会場および本会場の外部における演出効果を高めることができる。
【図面の簡単な説明】
【００１９】
【図１】本実施形態における発光演出システムの概略構成図である。
【図２】本実施形態における発光演出具の構成図である。
【図３】本実施形態における集中発光制御装置の構成図である。
【図４】変形例における集中発光制御装置の構成図である。
【図５】本実施形態における発光演出システムの概略動作フロー図である。
【図６】図５に示す概略動作フロー中において投票モードへの切り替えフローが起動した際における概略動作フロー図である。
【発明を実施するための形態】
【００２０】
以下、本発明にかかる発光演出システム１００についての説明をおこなう。図１に示すように本実施形態における発光演出システム１００は、複数の発光演出具としての発光うちわ１０と、インターネット通信としてのインターネット通信網２０を介して発光うちわ１０と相互接続可能な集中発光制御装置３０とを具備する。本実施形態における発光演出システム１００は、インターネット通信網２０を介して集中発光制御装置３０が遠隔地間における発光うちわ１０に搭載された発光体１２の発光態様を特定の発光態様となるように制御することを特徴としている。
【００２１】
本実施形態における発光うちわ１０は、図２に示すように、電源としてのバッテリ１１と、発光体１２と、集中発光制御装置３０との間でデータの送信および受信を行う第１送受信装置１３と、集中発光制御装置３０から送信された発光制御信号ＨＣＳに基づいて発光体１２の発光態様を特定の発光態様となるように制御する発光制御回路１４と、モーションセンサ１５と、発光制御信号ＨＣＳ等を記憶する記憶手段１６と操作スイッチ１７を有している。
【００２２】
本実施形態におけるバッテリ１１は、発光うちわ１０の把持部１０Ａに収容されている。発光体１２は発光うちわ１０の扇面部１０Ｂに適宜配設されている。発光体１２は、発光演出システム１００において必要とされる特定の発光態様を扇面部１０Ｂにて提供することができる配列で扇面部１０Ｂに設けられている。発光体１２としては、ＬＥＤや有機ＥＬ等に代表される公知の構成を採用することができるので、ここでの詳細な構成についての説明は省略する。
【００２３】
なお、発光体１２としてＬＥＤを用いた場合には、図２に示すように扇面部１０Ｂの骨組体１０Ｃに発光体１２を所定間隔で配設し、ＬＥＤの照射光を扇面部１０Ｂに貼設したフィルム体を介して外部に出力する形態を採用することができる。この他、発光体１２を扇面部１０Ｂに適宜配設する形態や、発光体１２として有機ＥＬを用いる形態を採用することができる。発光体１２として有機ＥＬを用いた場合には、有機ＥＬにより扇面部１０Ｂを構成する形態や、扇面部１０Ｂを構成するフィルム体に有機ＥＬを貼付した形態を採用することができる。
【００２４】
第１送受信装置１３は、図３に示すように集中発光制御装置３０の第２送受信装置３２（第２送信装置３２Ａ）から発せられた発光制御信号ＨＣＳがインターネット通信網２０を介して受信可能な第１受信装置１３Ａと、モーションセンサ１５が検出した動作検出信号ＭＤＳを集中発光制御装置３０にインターネット通信網２０を介して送信する第１送信装置１３Ｂとを有する。第２送受信装置３２は、第１送受信装置１３と同様の構成（第２送信装置３２Ａ、第２受信装置３２Ｂ）を採用することができるので、ここでの詳細な説明は省略する。このように第１送受信装置１３と第２送受信装置３２はインターネット通信網２０を介して複数の発光うちわ１０と集中発光制御装置３０とを相互に接続可能にするものである。
【００２５】
発光制御回路１４は、集中発光制御装置３０の第２送信装置３２Ａから発せられ、第１受信装置１３Ａにより受信された後、不揮発性メモリに代表される記憶手段１６に記憶された発光制御信号ＨＣＳに基づいて、発光体１２の発光態様を制御するものである。発光制御回路１４は、記憶手段１６から読み出した発光制御信号ＨＣＳに基づいて、発光体１２の発光態様を時系列的または、色彩的に変更させる制御を行う。
【００２６】
本実施形態における発光制御信号ＨＣＳは、発光うちわ１０が集中発光制御装置３０による発光態様の制御が行われる前（イベント会場の入場時）における基本発光態様となるように発光体１２の発光態様を制御させるための基本発光制御信号ＢＣＳと、集中発光制御装置３０により指定された少なくとも１本の発光うちわ１０（一部の発光うちわ１０）における発光体１２の発光態様を制御させるための指定発光制御信号ＰＣＳとを有している。このような発光制御信号ＨＣＳの構成を採用することで、イベント開催者側において発光うちわ１０の発光態様を任意にコントロールすることができる。これにより、イベントが開催される前の発光うちわ１０の発光態様と、イベントが開催される直前やイベントが始まる際における発光うちわ１０の発光態様をイベント開催者側で任意の態様に制御することができ、イベント会場を大いに盛り上げることができる。
【００２７】
モーションセンサ１５は、発光うちわ１０の把持部１０Ａに設けられ、発光うちわ１０を保持する来訪者による発光うちわ１０の動作を検出するものである。本実施形態においては、図２に示すようにモーションセンサ１５を発光うちわ１０の把持部１０Ａに設けているが、扇面部１０Ｂにモーションセンサ１５を設けるようにしても良い。モーションセンサ１５は、加速度センサやジャイロセンサ等を組み合わせることにより構成されたものが好適に用いられる。モーションセンサ１５によれば、発光うちわ１０の加速度や傾き、移動方向、回転状態等を検出することができる。モーションセンサ１５により検出された動作検出信号ＭＤＳは、第１送信装置１３Ｂからインターネット通信網２０を介して図３に示す集中発光制御装置３０の第２受信装置３２Ｂに送信され、集中発光制御装置３０の不揮発性メモリ等の記憶部３６に記憶される。
【００２８】
本実施形態におけるモーションセンサ１５は、発光うちわ１０の動作に基づいて検出される動作検出信号ＭＤＳに動作検出時における時間情報ＴＤを紐付けしている。本実施形態における時間情報ＴＤは、日本標準時（ＪＳＴ）を採用しているが、協定世界時（ＵＴＣ）を用いることも可能である。このような標準時を採用することにより、遠隔地間における発光うちわ１０および集中発光制御装置３０における時間情報を統一することができる点で好都合である。このようにして時間情報ＴＤが紐付けされた動作検出信号ＭＤＳは第１送信装置１３Ｂからインターネット通信網２０を介して図３に示す集中発光制御装置３０（第２受信装置３２Ｂ）へ送信される。
【００２９】
本実施形態における動作検出信号ＭＤＳのように、モーションセンサ１５が発光うちわ１０の動作を検出したときにおける時間情報ＴＤを紐付けすることにより、集中発光制御装置３０の発光制御信号生成部３４は、動作検出信号ＭＤＳに基づいた追加発光制御信号ＡＣＳを時系列に沿って細かく生成することができる。このような使用形態としては、歌の振り付け等に応じた発光うちわ１０の発光態様の制御を例示することができ、イベント会場における発光演出をより豊かな内容にすることができる点において好都合である。
【００３０】
図３に示すように本実施形態における発光制御信号生成部３４は、記憶部３６に記憶させた動作検出信号ＭＤＳおよび時間情報ＴＤに基づいて、記憶部３６に予め記憶されている発光態様データベースＤＢから発光態様の要素情報ＥＬｎ（ｎは自然数）を読み出し、それぞれの動作検出信号ＭＤＳに対応させた追加発光制御信号ＡＣＳを生成している。ここでは、発光態様の要素情報ＥＬｎを時系列に沿って順番に採用する形態を図示しているが、動作検出信号ＭＤＳの内容と時間情報ＴＤの組み合わせが発光態様の要素情報ＥＬｎに紐付けられた条件と一致した場合のみ、発光態様の要素情報ＥＬｎを動作検出信号ＭＤＳに対応させる形態を採用することもできる。このような形態を採用することにより、発光演出に不要な動作をモーションセンサ１５が検出したとしても、その動作検出信号ＭＤＳを発光演出に反映させないようにすることが可能になる点において好都合である。
【００３１】
また、発光制御信号生成部３４は、追加発光制御信号ＡＣＳに動作検出信号ＭＤＳの時間情報ＴＤを紐付けすると共に、追加発光制御信号ＡＣＳに基づく発光体１２の発光態様の制御継続時間を指定する制御継続時間情報ＫＪを追加させることもできる。
【００３２】
このようにして発光制御信号生成部３４により生成された追加発光制御信号ＡＣＳは、第２送信装置３２Ａからインターネット通信網２０を介して動作検出信号ＭＤＳの送信元の発光うちわ１０（第１受信装置１３Ａ）に送信される。そして第１受信装置１３Ａが追加発光制御信号ＡＣＳを受信すると、記憶手段１６に記憶させる処理と、発光制御回路１４による追加発光制御信号ＡＣＳに基づいた発光体１２の発光態様の制御を制御継続時間情報ＫＪで指定された時間にわたって実行する。
【００３３】
以上に説明したような追加発光制御信号ＡＣＳを受信した発光制御回路１４は、追加発光制御信号ＡＣＳに基づく発光体１２の発光態様の制御を、発光制御信号ＨＣＳに基づく発光体１２の発光態様の制御に優先させて実行する。また、発光制御回路１４は、追加発光制御信号ＡＣＳに紐付けられている時間情報ＴＤの順番に沿うと共に、制御継続時間情報ＫＪで指定されている時間にわたって発光体１２の発光態様を制御する。すべての追加発光制御信号ＡＣＳによる発光体１２の発光態様の動作制御が完了すると、発光制御回路１４は、発光制御信号ＨＣＳに基づいた発光体１２の発光態様に戻す制御を行う。このとき、発光制御回路１４は、発光制御信号ＨＣＳのうちの基本発光制御信号ＢＣＳまたは指定発光制御信号ＰＣＳのいずれか一方を選択するようにイベント開催者側によって予め設定されている。
【００３４】
なお、本実施形態における発光演出システム１００は、発光うちわ１０の動作により、来訪者による投票動作モードに切り替えすることもできる。この投票動作モードを実行するためには、図４に示すように、集中発光制御装置３０の記憶部３６に動作検出信号ＭＤＳに基づいて発光うちわ１０の動作モードの切り替えの要否を判断する動作モード切替判別データＭＣＤと、切り替えた動作モードの継続時間を規定する動作モード切替時間情報ＭＣＴが予め追加記憶されている。また、集中発光制御装置３０には、動作モード切替判別データＭＣＤに動作検出信号ＭＤＳを参照させて動作モードの切り替えの要否（投票動作モードへの移行の要否）を判断する動作制御部３８が追加配設されている。
【００３５】
動作制御部３８は、イベント開催者側が指定した時間帯（常時または特定の時間帯）において、発光うちわ１０から送信された動作検出信号ＭＤＳを記憶部３６に記憶されている動作モード切替判別データＭＣＤに参照させる。動作検出信号ＭＤＳが動作モード切替判別データＭＣＤに規定されている検出動作条件を満たしている場合、投票動作モードへの切り替えが要求されていると判断し、初期値が０の切替要求カウント値ＣＲＶを１ずつ増加させる。そして動作制御部３８は、記憶部３６に記憶されている切替要求カウント値ＣＲＶが動作モード切替判別データＭＣＤに規定されている切替判断数値ＪＶとの比較を行い、切替要求カウント値ＣＲＶが動作モード切替判別データＭＣＤに規定されている切替判断数値ＪＶを超えた場合、発光演出システム１００の投票モードへの切り替えを実行する。投票モードへの切り替え継続時間は、記憶部３６に記憶されている動作モード切替時間情報ＭＣＴに規定された時間にわたって行われる。
【００３６】
投票モードへ切り替えが行われている間のモーションセンサ１５は、動作検出信号ＭＤＳに発光うちわ１０に予め付与されている位置情報を紐付けして集中発光制御装置３０に送信する。発光うちわ１０の位置情報は、第１送受信装置１３のインターネット通信網２０へのアクセスポイント(図示せず)に割り当てられたＭＡＣアドレスやアクセスポイントや本会場やパブリックビューイング会場等に配設した衛星測位システムから入手することができる。また、動作検出信号ＭＤＳには、モーションセンサ１５が検出した発光うちわ１０の動作のそれぞれに対し、信号強度（動作の激しさを示す指標）や動作検出継続時間を含ませておくことが好ましい。
【００３７】
集中発光制御装置３０の動作制御部３８は、それぞれの発光うちわ１０から送信された動作検出信号ＭＤＳを用いて投票データの集計処理を行う。具体的には、動作制御部３８が動作検出信号ＭＤＳの信号強度と動作検出継続時間の信号強度・時間積算値ＳＴＶを算出すると共に、位置情報毎に信号強度・時間積算値ＳＴＶの累計である信号強度・時間積算累計値ＡＣＶを記憶部３６に記憶させる処理を動作モード切替時間情報ＭＣＴに規定された時間にわたって行う。動作検出信号ＭＤＳを送信した発光うちわ１０の数（投票モードへの参加数）の累計値をカウントし、記憶部３６に記憶させることもできる。動作モード切替時間情報ＭＣＴに規定された時間が経過すると、投票モードが終了する。
【００３８】
投票モードが終了すると動作制御部３８は、発光制御信号生成部３４に記憶部３６に記憶させた位置情報毎の信号強度・時間積算累計値ＡＣＶと投票モードへの参加数に基づいて投票結果発光制御信号ＶＲＳを生成させると共に、第２送信装置３２Ａに投票結果発光制御信号ＶＲＳを発光うちわ１０に送信させる。投票結果発光制御信号ＶＲＳには、投票結果発光制御信号ＶＲＳに基づく発光体１２の発光態様の制御継続時間を投票結果出力時間情報として紐付けしておくことが好ましい。
【００３９】
発光うちわ１０が投票結果発光制御信号ＶＲＳを受信すると、発光制御回路１４が投票結果発光制御信号ＶＲＳに基づいた発光体１２の発光態様の制御を投票結果出力時間情報に規定された時間にわたって実行する。このとき、集中発光制御装置３０の動作制御部３８は、動作検出信号ＭＤＳの検出動作毎の信号強度・時間積算累計値ＡＣＶについてそれぞれの動作検出信号ＭＤＳの位置情報に基づいて算出した集計結果を本会場やパブリックビューイング会場等に設置した図示しない出力部としてのモニタに所定の出力時間にわたって出力させるようにすることもできる。モニタへの出力時間は、集中発光制御装置３０の記憶部３６に予め記憶させておけばよい。
【００４０】
発光制御回路１４は、投票結果発光制御信号ＶＲＳに基づいた発光体１２の発光態様の制御が完了すると、発光制御信号ＨＣＳによる発光体１２の発光態様制御に戻る。このように発光演出システム１００に上記のような投票モードを搭載することで、それぞれの会場間における投票ゲームを行うことができ、本会場やパブリックビューイング会場等のそれぞれの会場間における投票結果をモニタに出力することで来訪者の盛り上がりをさらに向上させることができる点で好都合である。
【００４１】
次に本実施形態における発光演出システム１００を用いた発光演出方法について説明する。図５は、本実施形態における発光演出方法を示す概略フロー図である。来訪者が保持する発光うちわ１０にイベント開催者側である集中発光制御装置３０からインターネット通信網２０を介して発光制御信号ＨＣＳを送信する（ステップ１）。発光制御信号ＨＣＳを受信した発光うちわ１０は発光制御回路１４により発光制御信号ＨＣＳに基づく発光体１２の発光態様の制御が行われる（ステップ２）。発光制御信号ＨＣＳは、発光うちわ１０の全体に対する基本発光制御信号ＢＣＳと、イベント開催者側が指定した発光うちわ１０の発光体１２の発光態様を直接制御するための指定発光制御信号ＰＣＳがあり、それぞれの発光うちわ１０は受信した発光制御信号ＨＣＳに基づいて発光体１２の発光態様が発光制御回路１４によって制御される。特に指定発光制御信号ＰＣＳによれば、イベントの開催前からイベント終了時までの間においてイベント開催者側が意図した発光演出を実行することができるため好都合である。
【００４２】
イベントが始まった後に来訪者により発光うちわ１０が所定の動作を行うと、モーションセンサ１５が動作検出信号ＭＤＳを生成すると共に集中発光制御装置３０へ送信する（ステップ３）。集中発光制御装置３０が動作検出信号ＭＤＳを受信すると、動作検出信号ＭＤＳに紐付けされている時間情報ＴＤから記憶部３６の発光態様データベースＤＢ内の発光態様の要素情報ＥＬｎ（ｎは自然数）を読みだし、それぞれの動作検出信号ＭＤＳに対応させた追加発光制御信号ＡＣＳを生成すると共に発光うちわ１０に送信する（ステップ４）。ステップ３とステップ４の動作は、モーションセンサ１５による動作検出信号ＭＤＳの追加検出の有無または発光態様データベースＤＢ内における動作検出信号ＭＤＳに対応する発光態様の要素情報ＥＬｎがなくなるまで繰り返し実行される。発光うちわ１０は追加発光制御信号ＡＣＳを受信すると、発光制御信号ＨＣＳに優先させて追加発光制御信号ＡＣＳに基づいた発光体１２の発光態様の制御を実行する（ステップ５）。
【００４３】
イベント終了直前には、再び集中発光制御装置３０がインターネット通信網２０を介して最後の発光制御信号ＨＣＳを発光うちわ１０に送信する（ステップ６）。イベント終了直前に発光うちわ１０に送信される最後の発光制御信号ＨＣＳには、発光態様の制御コマンドと発光態様制御時間情報とクリア情報が必ず含まれている。発光うちわ１０の発光制御回路１４は、イベント終了直前に受信した最後の発光制御信号ＨＣＳに基づいて、発光体１２の発光態様を発光態様制御時間情報で指定されている時間にわたって制御する（ステップ７）。この後、発光制御回路１４は記憶手段１６に記憶されている発光制御信号ＨＣＳや追加発光制御信号ＡＣＳを消去する処理を実行（ＥＮＤ）する。
【００４４】
記憶手段１６から発光制御信号ＨＣＳと追加発光制御信号ＡＣＳが消去された後は、発光うちわ１０の所有者が操作スイッチ１７を押下することにより任意または予め記憶手段１６に記憶されている発光態様パターンに沿って発光体１２の発光態様を順次切り替えして用いることができる。予め記憶手段１６に記憶されている発光態様パターンは、集中発光制御装置３０や他のデータサーバからインターネット通信網２０を用いてダウンロードすることができる。
【００４５】
また、投票モードへの切り替えフローについては、ステップ３の後の任意のタイミング、または、イベント開催者側が指定した時間において集中発光制御装置３０によって実行させることができる。以下に図６に基づきながら投票モードへの切り替えフローについて説明する。
【００４６】
投票モードへの切り替えフローに入ると、集中発光制御装置３０の動作制御部３８は、動作検出信号ＭＤＳが動作モード切替判別データＭＣＤに指定されている条件を満たしているかの判断を行う（Ｓ―１）。動作制御部３８が動作検出信号ＭＤＳが動作モード切替判別データＭＣＤに指定されている条件を満たしていると判断した場合、記憶部３６に切替要求カウント値ＣＲＶを０から１カウントずつ増加させる（Ｓ―２）。条件を満たしていなければ何もしない。動作制御部３８は切替要求カウント値ＣＲＶが切替判断数値ＪＶを超えているか否かの判断を行い（Ｓ−３）、切替要求カウント値ＣＲＶが切替判断数値ＪＶを超えたと判断すると、動作制御部３８は記憶部３６に予め記憶されている動作モード切替時間情報ＭＣＴに指定されている時間にわたって投票動作モードを実行する（Ｓ―４）。切替要求カウント値ＣＲＶが切替判断数値ＪＶを超えていないと判断した場合には何にもしない。動作制御部３８は、所定時間内における切替要求カウント値ＣＲＶが所定値を超えない場合には、切替要求を却下する処理を行う。
【００４７】
投票動作モードが実行されると、投票動作モードの実行中に動作検出信号ＭＤＳを送信した発光うちわ１０の数の累計値（投票モード参加数）と、動作検出信号ＭＤＳの検出動作毎の検出信号の信号強度と動作継続時間の積の累計値である信号強度・時間積算累計値ＡＣＶを算出し、記憶部３６に記憶させる処理を実行する（Ｓ―５）。動作モード切替時間情報ＭＣＴに規定された時間が経過すると、動作制御部３８は、発光制御信号生成部３４に投票モード参加数と信号強度・時間積算累計値ＡＣＶに基づいた投票結果発光制御信号ＶＲＳを生成させると共に第２送信装置３２Ａから発光うちわ１０に送信する（Ｓ−６）。発光うちわ１０が投票結果発光制御信号ＶＲＳを受信すると、発光制御回路１４は投票結果発光制御信号ＶＲＳに基づいた発光体１２の発光態様制御を行う（Ｓ−７）。投票結果発光制御信号ＶＲＳに基づく発光体１２の発光態様の制御は、予め設定された投票結果出力時間の後に終了し、通常の発光制御信号ＨＣＳに基づく発光体１２の発光態様の制御に戻る（投票モードを終了する）（Ｓ―ＥＮＤ）。
【００４８】
また、動作制御部３８は、投票結果発光制御信号ＶＲＳを生成すると共に発光うちわ１０に送信された（Ｓ−６）後に、動作検出信号ＭＤＳに発光うちわ１０の位置情報が紐付けされているか否かを判断する工程（ＳＳ―１）を追加しても良い。発光うちわ１０への位置情報の紐付けは、発光うちわ１０に衛星測位システムの信号受信機を内蔵させたり、発光うちわ１０の配布場所に基づいて予め設定してくこと等により実現することが可能である。動作検出信号ＭＤＳに発光うちわ１０の位置情報が紐付けされている場合には、位置情報に基づいた信号強度・時間積算累計値ＡＣＶの集計結果を算出する（ＳＳ―２）処理を実行する。動作検出信号ＭＤＳに発光うちわ１０の位置情報が紐付けされていなければ（Ｓ−７）に進む。そして会場に設置した図示しない出力部としてのモニタに集計結果（投票結果）を所定の出力時間にわたって出力する（ＳＳ−３）を実行するようにしても良い。所定の出力時間は予め記憶部３６に記憶させておく形態やイベント開催者側から指定された時間を用いる形態を採用することができる。
【００４９】
このように、発光うちわ１０に紐付けられた位置情報に基づいて、本会場やパブリックビューイング会場等の複数会場で同時に開催されているイベントにおいて、投票モードを実行した場合、それぞれの会場毎に集計した投票結果を来訪者に提示することで、投票モードにおける会場の盛り上がりを向上させることができる点において好都合である。（ＳＳ−３）の工程を実行した後は、（Ｓ−７）の工程に進み、投票モードによる集計結果の表示フローを終了する。
【００５０】
以上に説明したとおり、発光うちわ１０と集中発光制御装置３０との間の通信はインターネット通信網２０を介して行っているため、イベント会場の来訪者の発光うちわ１０と、イベント会場と遠隔した場所の会場の来訪者の発光うちわ１０とにおいて、発光体１２の発光態様を同期させた状態にすることができる。すなわち来訪者は、イベント会場はもちろんのこと他の場所においてもイベント会場内と同等の盛り上がり感を得ることが可能になる。
【００５１】
以上に本発明における発光演出システム１００について実施形態に基づいて詳細に説明したが、本発明の技術的範囲は以上の実施形態に限定されるものではない。例えば以上の実施形態においては、集中発光制御装置３０の発光制御信号生成部３４は、動作検出信号ＭＤＳに紐付けされている時間情報ＴＤを追加発光制御信号ＡＣＳにも紐付けする処理を実行しているが、この処理は必須ではない。また、発光制御信号生成部３４は、追加発光制御信号ＡＣＳに基づく発光体１２の発光態様の制御継続時間を指定する制御継続時間情報ＫＪを追加発光制御信号ＡＣＳに紐付けする処理を実行しているが、この処理は必須ではない。
【００５２】
追加発光制御信号ＡＣＳにモーションセンサ１５による動作検出時の時間情報ＴＤが紐付けされていない場合には、発光うちわ１０の第１送受信装置１３による追加発光制御信号ＡＣＳの受信順に沿って発光制御回路１４が発光体１２の発光態様を順次制御する処理を行えばよい。また、発光制御信号生成部３４が追加発光制御信号ＡＣＳに制御継続時間情報ＫＪを紐付けしなかった場合には、予めイベント開催者側により指定された指定継続時間、または、第１受信装置１３Ａが次の追加発光制御信号ＡＣＳを受信するまでの間にわたって発光制御回路１４が追加発光制御信号ＡＣＳに基づく発光体１２の発光態様の制御を行うようにすればよい。
【００５３】
また、本実施形態における発光制御回路１４は、追加発光制御信号ＡＣＳに基づく発光体１２の発光態様の制御を行った後、発光制御信号ＨＣＳに基づいた発光体１２の発光態様に戻す制御を行っているが、追加発光制御信号ＡＣＳに基づく発光体１２の発光態様の制御を行った後は、発光体１２を消灯させる処理を行うようにすることもできる。
【００５４】
そして、以上の実施形態において説明した形態と上記変形例を適宜組み合わせた形態を採用することも可能である。
【符号の説明】
【００５５】
１０  発光うちわ，１０Ａ  把持部，１０Ｂ  扇面部，１０Ｃ  骨組体，
１１  バッテリ，
１２  発光体，
１３  第１送受信装置，１３Ａ  第１受信装置，１３Ｂ  第１送信装置，
１４  発光制御回路，
１５  モーションセンサ，
１６  記憶手段，
１７  操作スイッチ，
２０  インターネット通信網，
３０  集中発光制御装置，
３２  第２送受信装置，３２Ａ  第２送信装置，３２Ｂ  第２受信装置，
３４  発光制御信号生成部，
３６  記憶部，
３８  動作制御部，
１００  発光演出システム，
ＨＣＳ  発光制御信号，ＢＣＳ  基本発光制御信号，ＰＣＳ  指定発光制御信号，
ＭＤＳ  動作検出信号，ＴＤ  時間情報，
ＤＢ  発光態様データベース，ＥＬｎ  要素情報，
ＡＣＳ  追加発光制御信号，ＫＪ  制御継続時間情報，
ＭＣＤ  動作モード切替判別データ，ＭＣＴ  動作モード切替時間情報，
ＣＲＶ  切替要求カウント値，ＪＶ  切替判断数値， 
ＳＴＶ  信号強度・時間積算値，ＡＣＶ  信号強度・時間積算累計値，
ＶＲＳ  投票結果発光制御信号
【図１】
2020039788.tif 000003
【図２】
2020039788.tif 000004
【図３】
2020039788.tif 000005
【図４】
2020039788.tif 000006
【図５】
2020039788.tif 000007
【図６】
2020039788.tif 000008